(57)【要約】【課題】            前側軸状部材に相対して、後側軸状部材が、緩みや、ガタつき、抜け等を生じるのを防ぐことができる上、リフィール交換や、修理、リサイクル等のために分解する際には前側軸状部材と側軸状部材とを容易に分離することができる軸筒接続構造を提供する。【解決手段】        前側軸状部材１０と後側軸状部材２０とを接続してなる軸筒接続構造において、前側軸状部材１０と後側軸状部材２０との内の一方の軸状部材に、周方向へ回動自在かつ軸方向へ移動不能となるようにリング部材３０を係合し、該リング部材３０に対し他方の軸状部材を螺合してなり、該リング部材の少なくとも一部を、外部から周方向へ回動可能なように形成している。【選択図】          図３
2007239851.tif 000002
【特許請求の範囲】
【請求項１】
前側軸状部材と後側軸状部材とを接続している軸筒接続構造において、
前側軸状部材と後側軸状部材との内の一方の軸状部材に、周方向へ回動自在かつ軸方向へ移動不能となるようにリング部材を係合し、該リング部材に対し他方の軸状部材を螺合し、
該リング部材の少なくとも一部を、外部から周方向へ回動可能なように形成していることを特徴とする軸筒接続構造。
【請求項２】
上記リング部材の少なくとも一部を、把持可能なように外部に露出したことを特徴とする請求項１記載の軸筒接続構造。
【請求項３】
上記前側軸状部材が上記後側軸状部材に相対し回動不能となるように、これら双方を嵌め合わせたことを特徴とする請求項１又は２記載の軸筒接続構造。
【請求項４】
上記一方の軸状部材の外周面には、上記リング部材を乗越え嵌合させる係止突起が設けられ、
該係止突起の周方向の両側には、軸方向へわたる長尺状の貫通孔が設けられていることを特徴とする請求項１乃至３何れか１項記載の軸筒接続構造。
【請求項５】
上記一方の軸状部材には、環状に挿入された上記リング部材を当接させる鍔部が形成され、
上記リング部材の一端側部分には、前記鍔部に対し当接するとともに遠心方向へ突出して外部に露出される把持部が形成され、
このリング部材の他端側部分には、上記他方の軸状部材を螺合させる雄ネジ部が形成されていることを特徴とする請求項１乃至４何れか１項記載の軸筒接続構造。
【発明の詳細な説明】
【技術分野】
【０００１】
本発明は、前軸と後軸、先口と軸筒、軸筒と尾栓等、前側軸状部材と後側軸状部材とを接続するようにした軸筒接続構造に関するものである。
【背景技術】
【０００２】
従来、前軸と後軸とを螺合接続することにより、筆記具の軸筒を構成するようにした軸筒接続構造が一般的に知られている。
このような一般的な軸筒接続構造によれば、手の把持力および筆圧等が繰り返し加えられることにより、前軸に相対して後軸に回転力が加わり、その回転力に起因して前軸と後軸との間の螺合箇所に緩みを生じ、その緩みに起因して、前軸に相対して後軸が抜けたりガタついたり等する場合があった。
【０００３】
そこで、例えば、特許文献１に記載された発明のように、前側軸状部材（副軸筒３）と後側軸状部材（主軸筒２）とを、頑強な嵌合構造により接続して、前側軸状部材に相対する後側軸状部材の緩みや、ガタつき、抜け等を防止するようにした軸筒接続構造がある。
【０００４】
しかしながら、前記従来の発明によれば、前側軸状部材と後側軸状部材とを強固に接続しているため、リフィール交換や、修理、リサイクル等のために、これら前側軸状部材と後側軸状部材とを分離しようとした際には、その分解作業が容易ではなかった。
【特許文献１】特開２００２−１０３８７３号公報
【発明の開示】
【発明が解決しようとする課題】
【０００５】
本発明は上記従来事情に鑑みてなされたものであり、その課題とする処は、前側軸状部材に相対して、後側軸状部材が、緩みや、ガタつき、抜け等を生じるのを防ぐことができる上、リフィール交換や、修理、リサイクル等のために分解する際には前側軸状部材と側軸状部材とを容易に分離することができる軸筒接続構造を提供することにある。
【課題を解決するための手段】
【０００６】
上記課題を解決するために第一の発明は、前側軸状部材と後側軸状部材とを接続している軸筒接続構造において、前側軸状部材と後側軸状部材との内の一方の軸状部材に、周方向へ回動自在かつ軸方向へ移動不能となるようにリング部材を係合し、該リング部材に対し他方の軸状部材を螺合し、該リング部材の少なくとも一部を、把持可能なように外部に露出したことを特徴とする。
【０００７】
また、第二の発明では、上記リング部材の少なくとも一部を、把持可能なように外部に露出したことを特徴とする。
【０００８】
また、第三の発明では、上記前側軸状部材が上記後側軸状部材に相対し回動不能となるように、これら双方を嵌め合わせたことを特徴とする。
【０００９】
また、第四の発明では、上記一方の軸状部材の外周面には、上記リング部材を乗越え嵌合させる係止突起が設けられ、該係止突起の周方向の両側には、軸方向へわたる長尺状の貫通孔が設けられていることを特徴とする。
【００１０】
また、第五の発明では、上記一方の軸状部材には、環状に挿入された上記リング部材を当接させる鍔部が形成され、上記リング部材の一端側部分には、前記鍔部に対し当接するとともに遠心方向へ突出して外部に露出される把持部が形成され、このリング部材の他端側部分には、上記他方の軸状部材を螺合させる雄ネジ部が形成されていることを特徴とする。
【発明の効果】
【００１１】
本発明は、以上説明したように構成されているので、以下に記載されるような作用効果を奏する。
第一の発明によれば、一方の軸状部材に対しリング部材が回動自在であり、そのリング部材に対し他方の軸状部材が一体的に螺合されている。
したがって、一方の軸状部材に対し他方の軸状部材が回転したとしても、その他方の軸状部材と共にリング部材も一体的回動するため、他方の軸状部材が緩んで一方の軸状部材から分離されてしまうようなことを防ぐことができる。
また、リフィール交換や、修理、リサイクル等のために、一方の軸状部材から他方の軸状部材を外す際には、他方の軸状部材に対しリング部材を螺合方向と逆の方向へ回すか、あるいは、リング部材に対し他方の軸状部材を螺合方向と逆の方向へ回せばよい。
すなわち、例えば、前記他方の軸状部材を合成樹脂材料とするとともにリング部材を金属材料として当該筆記具を構成した場合、その筆記具が使い古され廃棄処分される際には、分解分別の作業が必要となるが、その際の分解作業を容易に行うことができる。
よって、使用状態においては、前側軸状部材に相対し、後側軸状部材が、緩みや、ガタつき、抜け等を生じるのを防ぐことができる上、リフィール交換や、修理、リサイクル等のために分解する際には前側軸状部材と側軸状部材とを容易に分離することができる。
【００１２】
更に、第二の発明によれば、リング部材を外部から把持することができるため、リフィール交換や、修理、リサイクル等のための分解作業を、一層容易にすることができる。
【００１３】
更に、第三の発明によれば、一方の軸状部材に対しリング部材が回動自在であり、そのリング部材に対し他方の軸状部材が一体的に螺合され、更に、一方の軸状部材に対し他方の軸状部材が回動不能に嵌め合わせられる。
したがって、前側軸状部材と後側軸状部材とを周方向において位置合わせすることができ、ひいては、前側軸状部材と後側軸状部材とのデザイン的な位置関係を良好にし、外観上の体裁を向上することができる。
しかも、前側軸状部材に相対し後側軸状部材が回転することがないので、螺合箇所の緩みを生じ難く、ひいては、前側軸状部材に相対して後側軸状部材がガタついたり抜けたりするのを、より効果的に防ぐことができる。
また、他方の軸状部材を外す際には、リング部材の露出部分を回動不能に把持しながら他方の軸状部材を螺合時と逆方向へ回せば、その他方の軸状部材と一体的に一方の軸状部材も回転し、他方の軸状部材が、リング部材との螺合状態から解除されるとともに一方の軸状部材から離脱する。
よって、使用状態においては、前側軸状部材に相対し、後側軸状部材が、緩みや、ガタつき、抜け等を生じるのを、効果的に防ぐことができる上、リフィール交換や、修理、リサイクル等のために分解する際には、前側軸状部材と側軸状部材とを容易に分離することができる。
【００１４】
更に、第四の発明によれば、一方の軸状部材の係止突起に対しリング部材を乗越え嵌合させる際、係止突起の両側には貫通孔があるため、この一方の軸状部材における係止突起の近傍を容易に弾性変形させることができ、ひいては、その乗越え嵌合を容易に行うことができる。
【００１５】
更に、第五の発明によれば、生産性および分解性の良好な具体的構造とすることができる。
【発明を実施するための最良の形態】
【００１６】
以下、本発明の実施の形態を図面に基づいて説明する。
本発明に係わる軸筒接続構造は、図１乃至３に示すように、筆記具Ａの前側に位置する前側軸状部材１０と、同筆記具の後側に位置する後側軸状部材２０との接続により軸筒１を構成しており、前側軸状部材１０と後側軸状部材２０との間にはリング部材３０を介在している。
【００１７】
前側軸状部材１０は、合成樹脂材料から筆記具Ａの略前半部を構成する略筒状に形成され、その前端側に、筆記部４１を出没させる先口５０を螺合接続し、筆記時に把持される中間部にはゴムやエラストマー樹脂等からなるグリップ６０が、環状に装着されている。
【００１８】
また、前側軸状部材１０の後端側には、その後端面から前方へ所定間隔置いた位置に、後述するリング部材３０を当接させるための鍔部１１が周方向へわたって略環状に突設されている。
そして、リング部材３０における鍔部１１よりも後側には、リング部材３０を乗越え嵌合させるための係止突起１２や、および該係止突起１２の径方向への移動を容易にする貫通孔１３（図２参照）、後述する後側軸状部材２０を凹凸状に嵌め合わせるための係合溝１４（図３参照）等が設けられている。
【００１９】
係止突起１２は、図２に示す１例によれば、前側軸状部材１０後端側の周方向において、略角度１８０度の間隔を置いて２つ配設されている。
各係止突起１２は、その後端側に、リング部材３０を乗越え易くする傾斜面１２ａを形成するとともに、前端部には、乗越えた際のリング部材３０の後端を係止する段部１２ｂを有する。
なお、この係止突起１２は、図示した好ましい一例によれば、前記のように２つ備えているが、単数又は３つ以上とすることも可能である。
【００２０】
そして、各係止突起１２の周方向の両側には、軸方向へわたる長尺状の貫通孔１３，１３が設けられている。
各貫通孔１３は、係止突起１２の軸方向の寸法よりも長い長尺状の孔であり、前側軸状部材１０の周壁を径方向へ貫通している。
これら両貫通孔１３，１３によれば、前側軸状部材１０の周壁における係止突起１２前後の箇所を弾性変形させ易くすることができる。
【００２１】
また、係合溝１４は、後述する後側軸状部材２０の突条２２を軸方向に嵌め合わせるように、軸方向へわたるとともに後方を開口した溝である。
なお、この係合溝１４および前記突条２２は、図示した好ましい一例によれば、単数備えているが、周方向に複数設けるようにしてもよい。
また、係合溝１４は、前側軸状部材１０の周壁を径方向へ貫通した切欠部に置換することも可能であるが、前側軸状部材１０の強度低下を防ぐ観点より、図示例のように径方向へ貫通しない溝とするのが好ましい。
【００２２】
また、後側軸状部材２０は、合成樹脂材料から筆記具Ａの略後半部を構成する略筒状に形成され、その前端側内周面に、後述するリング部材３０に螺合可能な雌ネジ部２３（図３参照）を形成するとともに、該雌ネジ部２３よりも後方側に、前側軸状部材１０の上記係合溝１４と嵌り合う突条２２を、軸方向へわたって突設している。
【００２３】
また、リング部材３０は、金属材料から形成された略筒状の部材であり、その前端側に，前側軸状部材１０の鍔部１１に当接すべく遠心方向へ突出するとともに、同鍔部１１を覆うようにして外部に露出される略短尺筒状の把持部３１を有する。
そして、該リング部材３０の把持部３１よりも後方側には、把持部３１よりも小径な小径部３２を有するとともに、該小径部３２の外周面に、後側軸状部材２０前端側の雌ネジ部２３と螺合し合う雄ネジ部３２ａを形成している。
【００２４】
前記小径部３２は、その内径を、前側軸状部材１０後端側の両係止突起１２間の最大幅よりも小さく設定している。
且つ、この小径部３２は、前側軸状部材１０の後端側に装着された際に、前側軸状部材１０に対し周方向へ回動自在となるように、その内径を、前側軸状部材１０の後端側外径よりも若干大きく設定している。
また、この小径部３２は、係止突起１２と鍔部１１との間に回動自在に嵌り合い、且つ軸方向へのガタツキが生じない程度に、その軸方向の長さが適宜に設定されている。
【００２５】
なお、図中符号４０は、ボールペン用リフィールであり、その先端部に転写ボール回動自在に抱持した筆記部４１を有する。このボールペン用リフィールをシャープペンシル用リフィールに置換した構成とすることも可能である。
また、図中符号７０は、グリップ６０の後端部外周面と、リング部材３０内周面との間に位置する係止リングであり、周囲からリング部材３０により圧縮されて、内周面の環状係止突起７１をグリップ６０の外周面に食い込ませ、グリップ６０後端側が筆圧により前方へ移動してしまうのを防ぐ。
また、図中符号８１は、ボールペン用リフィール４０を没入方向へ付勢する圧縮スプリングであり、符号８２は、グリップ６０前端側が先口５０の螺合接続の際に捩れてしまうのを防ぐ滑りリングである。
【００２６】
そして、上記構成の筆記具Ａは、図示しない後端側のノック部の操作により、ボールペン用リフィール４０の筆記部４１を先口５０前端から出没させるように構成されている。
【００２７】
次に、上記構成の筆記具Ａにおける軸筒１の組立て手順について詳細に説明する。
先ず、図２に示すように、グリップ６０および係止リング７０が環状に装着された前側軸状部材１０に対し、その後方側から、リング部材３０が環状に挿入される。
その際、両係止突起１２，１２が、リング部材３０の小径部３２内周面により押圧されて、弾性的に求心方向へ没入するため、リング部材３０はスムーズに挿入される。
【００２８】
そして、リング部材３０は、その小径部３２の後端部が各係止突起１２前端の段部１２ｂを超えるのと略同時に、小径部３２の前端を、前側軸状部材１０の鍔部１１に対し、接触又は近接させた状態となる。
この状態において、リング部材３０は、前側軸状部材１０に対し周方向に回動自在であって、且つ軸方向へ移動しないように係合している。
また、同状態において、リング部材３０の把持部３１は、先に装着された係止リング７０に対し覆い被さるようにして外部に露出される。
【００２９】
次に、図３に示すように、前側軸状部材１０およびリング部材３０の後端側に対し、後側軸状部材２０が環状に装着される。
より詳細に説明すれば、後側軸状部材２０は、その突条２２を、前側軸状部材１０後端の係合溝１４に嵌め合わせるようにして、軸方向へ環状に挿入される。
そして、リング部材３０の把持部３１が組立作業者や組立ロボット等により回動不能に把持された状態で、後側軸状部材２０が、リング部材３０に対し、環状に捻じ込まれる。
この捻じ込みの際、前側軸状部材１０の係合溝１４と、後側軸状部材２０の突条２２とが嵌り合っているため、前側軸状部材１０と後側軸状部材２０とは一体的に回転し、把持されたリング部材３０のみが回転不能な状態に維持される。
【００３０】
上記のようにして前側軸状部材１０と後側軸状部材２０とを接続してなる軸筒１によれば、係合溝１４と突条２２とが嵌まり合っているため、前側軸状部材１０に相対し後側軸状部材２０が回動することがない。
そのため、後側軸状部材２０の螺合部分は、軸筒１に対する手の把持力や筆圧等が繰り返し加わったとしても、容易に緩むようなことがない。したがって、前側軸状部材１０に相対して後側軸状部材２０がガタついたり抜けたりするようなこともない。
【００３１】
また、リフィール交換や、修理、リサイクル等のために、筆記具Ａを分解する際には、上記手順と逆に、把持部３１を回転不能に把持し、後側軸状部材２０を、捻じ込み方向の逆方向へ回転すれば、その回転方向へ後側軸状部材２０および前側軸状部材１０が一体的に回転し、螺合状態が解除される。
よって、前側軸状部材１０と後側軸状部材２０とを容易に分離することができる。
【００３２】
なお、上記軸筒１によれば、前側軸状部材１０に相対し後側軸状部材２０が回動不能となるように、これら双方を嵌め合わせるようにしたが、他例としては、図４に示す軸筒２のように、前側軸状部材１０に相対し後側軸状部材２０が回動可能な構成とすることも可能である。
次に、この軸筒２の構成について説明する。なお、この軸筒２において、上記軸筒１と略同様の構成箇所については、上記軸筒１と同一の符号を付けることで重複する詳細説明を省略する。
【００３３】
この軸筒２は、上記軸筒１における前側軸状部材１０から係合溝１４を省いた構成の前側軸状部材１０’と、上記軸筒１における後側軸状部材２０から突条２２を省いた構成の後側軸状部材２０’とを、上記軸筒１と同様にリング部材３０を介して接続したものである。
その組立て手順は、図４に示すように、リング部材３０に対し後側軸状部材２０’が捻じ込まれる際、リング部材３０が回動不能に把持され、後側軸状部材２０’のみが回転する。なお、この際、前側軸状部材１０’は、後側軸状部材２０’に相対し回動可能な状態であるため、後側軸状部材２０’の回転に追従して回転することはない。
【００３４】
そして、上記軸筒２によれば、前側軸状部材１０’に相対し、後側軸状部材２０’の周方向の位置を任意に設定することができる。
また、前側軸状部材１０’に対し後側軸状部材２０’が回転したとしても、その後側軸状部材２０’の回転と一体的にリング部材３０も回転するため、後側軸状部材２０’とリング部材３０との間の螺合部分が緩むことはない。
したがって、前側軸状部材１０’に相対して後側軸状部材２０’がガタついたり抜けたりするのを防ぐことができる。
【００３５】
また、リフィール交換や、修理、リサイクル等のために、上記軸筒２を分解する際には、把持部３１を回転不能に把持し、後側軸状部材２０’を捻じ込み方向と逆の方向へ回転させれば、後側軸状部材２０’がリング部材３０に相対し緩められ、前側軸状部材１０’と後側軸状部材２０’とを容易に分離することができる。
【００３６】
なお、上記実施の形態によれば、前側軸状部材と後側軸状部材が筆記具の軸筒における前軸と後軸である態様を例示しているが、これら前側軸状部材と後側軸状部材の他例としては、筆記具の軸筒とその先端側に接続される先口や、筆記具の軸筒とその後端側に接続される尾栓等であってもよい。
【００３７】
また、図２および図３に示す筆記具Ａの組立て手順によれば、前側軸状部材１０に対しリング部材３０を嵌め合わせ、リング部材３０に対し後側軸状部材２０を螺合するようにしたが、他の好ましい組立て手順としては、図５（ａ）（ｂ）に示すようにしてもよい。
【００３８】
この組立て手順では、先ず、図５（ａ）に示すように、後側軸状部材２０に対しリング部材３０が螺合接続される。
そして、一体的な後側軸状部材２０およびリング部材３０は、図５（ｂ）に示すように、グリップ６０及び係止リング７０が装着された前側軸状部材１０に対し、軸方向へ嵌め合わせられる。
この際、後側軸状部材２０の突条２２が、前側軸状部材１０の切欠部１４に対し位置合わせされる。
そして、リング部材３０の小径部３２が、係止突起１２を乗越えるようにして、係止突起１２と鍔部１１との間に嵌め合わせられる。
【００３９】
而して、図５に示す組立て手順によれば、後側軸状部材２０とリング部材３０とを螺合させる作業を容易に行うことができ、ひいては、当該筆記具Ａの生産性を、より向上することができる。
【００４０】
なお、図４に示す突条２２を省いた態様においても、上述した図５（ａ）（ｂ）に示す組立て手順を適用可能なのは勿論である。
【００４１】
また、上述した図示例によれば、把持部３１を外部へ露出させた好ましい態様を示しているが、他例としては、把持部３１を省き、治具等がグリップ６０と後側軸状部材２０との間に挿入され、該治具により小径部３２が周方向へ回されるように構成してもよい。
【図面の簡単な説明】
【００４２】
【図１】本発明に係わる軸筒接続構造を適用した筆記具の一例を示す要部断面図である。
【図２】同筆記具において、前側軸状部材に対しリング部材を組み付ける手順を（ａ）と（ｂ）に順次に示す説明図である。
【図３】（ａ）と（ｂ）は同筆記具において、前側軸状部材およびリング部材に対し後側軸状部材を組み付ける手順を示す説明図であり、前側軸状部材の後端側を切欠することにより前側軸状部材と後側軸状部材の嵌め合い箇所を示している。（ｃ）は、（ｂ）における(ｃ)-(ｃ)断面図である。
【図４】本発明に係わる軸筒接続構造を適用した筆記具の他例について、前側軸状部材およびリング部材に対し後側軸状部材を組み付ける手順を示す説明図である。
【図５】前側軸状部材とリング部材と後側軸状部材とを組み付ける手順の他例を示す説明図であり、その手順を（ａ）と（ｂ）に順次に示している。
【符号の説明】
【００４３】
１，２：軸筒
１０：前側軸状部材
１１：鍔部
１２：係止突起
１３：貫通孔
１４：切欠部
２０：後側軸状部材
２２：突条
３０：リング部材
３１：把持筒部
３２ａ：雄ネジ部
【図１】
2007239851.tif 000003
【図２】
2007239851.tif 000004
【図３】
2007239851.tif 000005
【図４】
2007239851.tif 000006
【図５】
2007239851.tif 000007